(57)【特許請求の範囲】
【請求項１】
配電系統から、当該配電系統により給電を受ける需要家を特定する電力系統管理システムであって、
配電系統に固有の番号である系統番号及び当該配電系統に設置される変圧器に固有の番号である変圧器番号を対応付けた系統情報と、前記変圧器番号及び当該変圧器番号の変圧器につながる分岐部に固有の番号である分岐部番号を対応付けた設備情報と、前記分岐部番号及び当該分岐部番号の分岐部から給電を受ける需要家に固有のＩＤである需要家ＩＤを対応付けた需要家情報とを記憶する手段と、
前記配電系統の給電対象となる地域を網羅し、当該地域内にある需要家の位置を示すアイコンを含む地図情報を記憶する手段と、
計画停電を行う配電系統の系統番号を取得する手段と、
前記系統情報に基づいて、前記取得した系統番号から変圧器番号を特定する手段と、
前記設備情報に基づいて、前記特定した変圧器番号から分岐部番号を特定する手段と、
前記需要家情報に基づいて、前記特定した分岐部番号から需要家ＩＤを特定する手段と、
前記特定した需要家ＩＤの需要家が計画停電の対象となることを出力する手段と、
を備え、
前記需要家が計画停電の対象となることを出力する手段は、前記配電系統に応じた形式を有する当該需要家のアイコンを含む前記地図情報を表示するとともに、当該需要家の現在の停電状況や停電予定に応じて前記形式を設定する
ことを特徴とする電力系統管理システム。
【請求項２】
請求項１に記載の電力系統管理システムであって、
前記需要家情報は、前記需要家ＩＤと、当該需要家ＩＤの需要家の緊急連絡先とをさらに対応付け、
前記計画停電の開始時刻が現在時刻から所定時間後になったときに、前記需要家情報に基づいて、前記特定した需要家ＩＤから緊急連絡先を特定する手段と、
前記特定した緊急連絡先に、前記所定時間が経過したら停電になる旨を示すメッセージを通知する手段と、
をさらに備えることを特徴とする電力系統管理システム。
【請求項３】
コンピュータにより、配電系統から、当該配電系統により給電を受ける需要家を特定する電力系統管理方法であって、
前記コンピュータは、
配電系統に固有の番号である系統番号及び当該配電系統に設置される変圧器に固有の番号である変圧器番号を対応付けた系統情報と、前記変圧器番号及び当該変圧器番号の変圧器につながる分岐部に固有の番号である分岐部番号を対応付けた設備情報と、前記分岐部番号及び当該分岐部番号の分岐部から給電を受ける需要家に固有のＩＤである需要家ＩＤを対応付けた需要家情報とを記憶するステップと、
前記配電系統の給電対象となる地域を網羅し、当該地域内にある需要家の位置を示すアイコンを含む地図情報を記憶するステップと、
計画停電を行う配電系統の系統番号を取得するステップと、
前記系統情報に基づいて、前記取得した系統番号から変圧器番号を特定するステップと、
前記設備情報に基づいて、前記特定した変圧器番号から分岐部番号を特定するステップと、
前記需要家情報に基づいて、前記特定した分岐部番号から需要家ＩＤを特定するステップと、
前記特定した需要家ＩＤの需要家が計画停電の対象となることを出力するステップと、
を実行し、
前記需要家が計画停電の対象となることを出力するステップにおいて、前記配電系統に応じた形式を有する当該需要家のアイコンを含む前記地図情報を表示するとともに、当該需要家の現在の停電状況や停電予定に応じて前記形式を設定する
ことを特徴とする電力系統管理方法。
【請求項４】
請求項３に記載の電力系統管理方法であって、
前記需要家情報は、前記需要家ＩＤと、当該需要家ＩＤの需要家の緊急連絡先とをさらに対応付け、
前記コンピュータは、
前記計画停電の開始時刻が現在時刻から所定時間後になったときに、前記需要家情報に基づいて、前記特定した需要家ＩＤから緊急連絡先を特定するステップと、
前記特定した緊急連絡先に、前記所定時間が経過したら停電になる旨を示すメッセージを通知するステップと、
をさらに実行することを特徴とする電力系統管理方法。
【発明の詳細な説明】
【技術分野】
【０００１】
本発明は、大規模な災害の発生により広範囲な停電を実施する際に、需要家に停電の実施を周知するシステム及び方法に関する。
【背景技術】
【０００２】
大規模災害等により発電所の運転が停止した場合に、電力需要が発電設備の供給能力を超過する状態になりうる。そのような電力不足の状態になったときには、負荷調整のために、電力会社の変電所から顧客宅（需要家宅）への送配電系統を系統単位で切り離すことにより、送配電を中止する、いわゆる計画停電を実施することがある。
【０００３】
計画停電を実施する際には、一般に、電力供給区域をいくつかのグループに分割し、グループごとに停電時間帯を割当てて順番に停電する。このグループ分けは、系統単位で分割され、通常の市町村の行政区分とは一致していない場合が多い。そのため、行政区分ごとにまとめて顧客宅に停電を周知することが困難であり、同じ行政区分内にある顧客宅であっても、隣の家は停電していないのに、自分の家は停電しているという状況が発生し、隣同士で混乱が生じる。
【０００４】
例えば、図８（ａ）に示すように、家３と、家６とは、隣同士であり、同じ行政区分Ｂに属するが、図８（ｂ）に示すように、家３は系統１から給電を受け、家６は系統３から給電を受ける。従って、計画停電のグループが、系統１と、系統３とで異なれば、停電時間帯が異なるので、隣同士であっても、家６は停電していないのに、家３は停電しているという状況が発生する。
【先行技術文献】
【特許文献】
【０００５】
【特許文献１】特開平７−１９３９９３号公報
【発明の概要】
【発明が解決しようとする課題】
【０００６】
従来、計画停電を周知する際には、停電の範囲が狭く限られており、停電までに十分な時間的な余裕があることから、電力会社の担当者が停電の区域を判断し、その区域内の顧客宅に通知していた。
【０００７】
しかしながら、想定外の大規模な災害が発生した場合に、広範囲に亘って停電することを直ちに顧客宅に周知する必要が生じたときに、人手に頼る方法では、処理能力に限界がある。また、現在の電力会社のシステムでは、配電系統、配電設備及び顧客宅に関する各データを別々に管理しているために、顧客宅に迅速に停電を周知するのは困難である。
【０００８】
なお、特許文献１には、作業区間及び作業予定日が設定されると、当該作業区間の停電実績又は予定の有無を判定し、当該区間に停電有りの場合、停電日時（実績又は予定）、停電要因、件名番号を表示する、配電系統の操作装置が開示されているが、計画停電の情報と、顧客宅とを関連付けるものではない。
【０００９】
本発明は、上記課題を鑑みてなされたものであり、その主たる目的は、計画停電を需要家に速やかに周知することにある。
【課題を解決するための手段】
【００１０】
上記課題を解決するために、本発明は、配電系統から、当該配電系統により給電を受ける需要家を特定する電力系統管理システムであって、配電系統に固有の番号である系統番号及び当該配電系統に設置される変圧器に固有の番号である変圧器番号を対応付けた系統情報と、前記変圧器番号及び当該変圧器番号の変圧器につながる分岐部に固有の番号である分岐部番号を対応付けた設備情報と、前記分岐部番号及び当該分岐部番号の分岐部から給電を受ける需要家に固有のＩＤである需要家ＩＤを対応付けた需要家情報とを記憶する手段と、前記配電系統の給電対象となる地域を網羅し、当該地域内にある需要家の位置を示すアイコンを含む地図情報を記憶する手段と、計画停電を行う配電系統の系統番号を取得する手段と、前記系統情報に基づいて、前記取得した系統番号から変圧器番号を特定する手段と、前記設備情報に基づいて、前記特定した変圧器番号から分岐部番号を特定する手段と、前記需要家情報に基づいて、前記特定した分岐部番号から需要家ＩＤを特定する手段と、前記特定した需要家ＩＤの需要家が計画停電の対象となることを出力する手段と、を備え、前記需要家が計画停電の対象となることを出力する手段は、前記配電系統に応じた形式を有する当該需要家のアイコンを含む前記地図情報を表示するとともに、当該需要家の現在の停電状況や停電予定に応じて前記形式を設定することを特徴とする。
【００１１】
この構成によれば、計画停電の予定が決まったときに、その計画停電を行う配電系統の番号から需要家ＩＤを特定することにより、計画停電の対象となる需要家を速やかに開示することができる。特に、取り扱う需要家数（顧客件数）が大量であるのに対して、系統情報、設備情報及び需要家情報のデータ連携を行うことにより、迅速かつ効率的に処理することができる。
そして、需要家は、表示された地図上で、計画停電を行う配電系統ごとに決められた形式（色、線種等）になっている自宅のアイコンを確認するにより、自宅が給電を受ける配電系統を容易に把握することができる。例えば、自宅の配電系統が同じ色で示されることにより、自宅を含む計画停電の範囲が分かりやすく、さらに、別の配電系統が異なる色で示されることにより、隣家であっても、配電系統が異なり、停電時間が異なることが分かりやすい。これによれば、需要家に対して、計画停電を行う配電系統を明確に開示し、その配電系統は行政区分と異なることを認識させることができる。
【００１４】
また、上記電力系統管理システムにおいて、前記需要家情報は、前記需要家ＩＤと、当該需要家ＩＤの需要家の緊急連絡先とをさらに対応付け、前記計画停電の開始時刻が現在時刻から所定時間前になったときに、前記需要家情報に基づいて、前記特定した需要家ＩＤから緊急連絡先を特定する手段と、前記特定した緊急連絡先に、前記所定時間が経過したら停電になる旨を示すメッセージを通知する手段と、をさらに備えることとしてもよい。
【００１５】
この構成によれば、計画停電の開始が近付いたときに、その旨を停電対象である需要家の緊急連絡先（例えば、携帯端末のメールアドレス等）に通知するので、需要家は、事前に計画停電の実施を知り、停電に対する準備を行うことができる。
【００１８】
なお、本発明は、電力系統管理方法を含む。その他、本願が開示する課題及びその解決方法は、発明を実施するための形態の欄、及び図面により明らかにされる。
【発明の効果】
【００１９】
本発明によれば、計画停電を需要家に速やかに周知することができる。
【図面の簡単な説明】
【００２０】
【図１】電力系統管理システム１のハードウェア構成を示す図である。
【図２】計画停電について示す図であり、（ａ）は系統単位で分けられた計画停電のグループを示し、（ｂ）は計画停電のグループごとに割り当てられた停電時間帯を示す。
【図３】電力系統管理システム１の記憶部１５に記憶されるデータの構成を示す図であり、（ａ）は系統情報１５Ａの構成を示し、（ｂ）は設備情報１５Ｂの構成を示し、（ｃ）は顧客情報１５Ｃの構成を示す。
【図４】電力系統管理システム１の記憶部１５に記憶されるデータの構成を示す図であり、特に停電情報１５Ｄの構成を示す。
【図５】顧客宅を計画停電のグループに分ける処理を示すフローチャートである。
【図６】停電情報を表示する処理を示すフローチャートである。
【図７】電力会社のホームページにおける表示例を示す図であり、（ａ）は表示例１を示し、（ｂ）は表示例２を示す。
【図８】従来の問題点を説明するための図であり、（ａ）は行政区分を示し、（ｂ）は配電系統の接続構成を示す。
【発明を実施するための形態】
【００２１】
以下、図面を参照しながら、本発明を実施するための形態を説明する。本発明の実施の形態に係る電力系統管理システムは、系統情報、設備情報及び顧客情報（需要家情報）を記憶し、計画停電のグループに属する配電系統を取得し、系統情報により配電系統からバンク柱へ、設備情報によりバンク柱から引込柱へ、顧客情報により引込柱から顧客宅へと辿っていき、計画停電のグループに属する顧客宅を特定し、通知するものである。顧客への通知手段として、例えば、顧客がＰＣや携帯端末で参照可能な地図情報上において、顧客宅をグループ別に色分けし、表示する。
【００２２】
これによれば、計画停電の予定が決まったときに、各情報間のデータ連携を効率的に行うことにより、その計画停電に関する情報を速やかに顧客に通知することができる。そして、電力会社のホームページ等に、顧客宅が属する、計画停電のグループを表示することにより、分かりやすく周知することができる。
【００２３】
≪システムの構成と概要≫
図１は、電力系統管理システム１のハードウェア構成を示す図である。電力系統管理システム１は、通信部１１、表示部１２、入力部１３、処理部１４及び記憶部１５を備え、各部がバス１６を介してデータを送受信可能なように構成される。通信部１１は、ネットワークを介して他の装置とＩＰ（Internet Protocol）通信等を行う部分であり、例えば、ＮＩＣ（Network Interface Card）等によって実現される。表示部１２は、処理部１４からの指示によりデータを表示する部分であり、例えば、液晶ディスプレイ（ＬＣＤ：Liquid Crystal Display）等によって実現される。入力部１３は、オペレータがデータ（例えば、系統情報等のデータ）や指示を入力する部分であり、例えば、キーボードやマウス、タッチパネル等によって実現される。処理部１４は、所定のメモリを介して各部間のデータの受け渡しを行うととともに、電力系統管理システム１全体の制御を行うものであり、ＣＰＵ（Central Processing Unit）が所定のメモリに格納されたプログラムを実行することによって実現される。記憶部１５は、処理部１４からデータを記憶したり、記憶したデータを読み出したりするものであり、例えば、ＨＤＤ（Hard Disk Drive）やＳＳＤ（Solid State Drive）等の不揮発性記憶装置によって実現される。
【００２４】
なお、電力系統管理システム１は、電力会社に設置されるサーバ用コンピュータにより実現され、インターネットを介して通信可能なＰＣ（Personal Computer）や携帯端末等に電力会社のホームページを提供するウェブサーバとしても機能する。電力系統管理システム１は、単体のサーバでもよいし、複数のサーバにより構成されてもよい。
【００２５】
≪計画停電について≫
図２は、計画停電について示す図である。図２（ａ）は、系統単位で分けられた計画停電のグループを示す。配電系統は、変電所の変圧器から分岐し、遮断器を介して、給電すべき顧客宅のある地域へ延設される高圧配電線である。各配電系統にバンク柱が設置され、バンク柱から引込線（低圧配電線）が分岐し、引込線を通じて各顧客宅に給電が行われる。そして、各顧客宅の電力需要量等に応じて、系統単位（フィーダ単位）で計画停電のグループ分けが行われる。図２（ａ）に示すように、例えば、系統１及び２はグループＡに属し、系統３はグループＢに属し、系統４及び５はグループＣに属する。なお、系統単位ではなく、バンク単位で計画停電のグループ分けが行われることもある。
【００２６】
図２（ｂ）は、計画停電のグループごとに割り当てられた停電時間帯を示す。計画停電の予定として、グループＡは９〜１２時に停電し、グループＢは１８〜２１時に停電し、
グループＣは２１〜２４時に停電する。
【００２７】
≪データの構成≫
図３〜４は、電力系統管理システム１の記憶部１５に記憶されるデータの構成を示す図である。図３（ａ）は、系統情報１５Ａの構成を示す。系統情報１５Ａは、配電系統におけるバンク柱を管理するための情報であり、系統番号１５Ａ１、バンク柱番号１５Ａ２及び位置データ１５Ａ３を含む、バンク柱ごとのレコードからなる。系統番号１５Ａ１は、配電系統に固有の番号である。バンク柱番号１５Ａ２は、当該配電系統に設置されるバンク柱に固有の番号であり、１の系統番号１５Ａ１に１以上のバンク柱番号１５Ａ２が対応する。位置データ１５Ａ３は、当該バンク柱の位置を示すデータであり、例えば、緯度及び経度が設定され、地図データ上にバンク柱の位置を示すアイコンをプロットするのに用いられる。
【００２８】
図３（ｂ）は、設備情報１５Ｂの構成を示す。設備情報１５Ｂは、バンク柱につながる引込柱を管理するための情報であり、引込柱番号１５Ｂ１、バンク柱番号１５Ｂ２及び位置データ１５Ｂ３を含む、引込柱ごとのレコードからなる。引込柱番号１５Ｂ１は、引込柱に固有の番号である。バンク柱番号１５Ｂ２は、当該引込柱の上位にあるバンク柱に固有の番号である。位置データ１５Ｂ３は、当該引込柱の位置を示すデータであり、例えば、緯度及び経度が設定され、地図データ上に引込柱の位置を示すアイコンをプロットするのに用いられる。
【００２９】
図３（ｃ）は、顧客情報１５Ｃの構成を示す。顧客情報１５Ｃは、給電対象である顧客を管理するための情報であり、顧客ＩＤ１５Ｃ１、引込柱番号１５Ｃ２及び契約番号１５Ｃ３を含む、顧客ごとのレコードからなる。顧客ＩＤ１５Ｃ１は、顧客に固有のＩＤであり、個人の氏名や法人の名称であってもよいし、固有の英数字によるＩＤであってもよい。引込柱番号１５Ｃ２は、当該顧客宅が直接給電を受ける引込柱に固有の番号である。契約番号１５Ｃ３は、当該顧客と、電力会社とが交わした電力使用契約に固有の番号である。
【００３０】
図４は、停電情報１５Ｄの構成を示す。停電情報１５Ｄは、計画停電を管理するための情報であり、グループＩＤ１５Ｄ１、系統番号１５Ｄ２及び停電時間帯１５Ｄ３を含む、計画停電のグループごとのレコードからなる。グループＩＤ１５Ｄ１は、計画停電のグループに固有のＩＤである。系統番号１５Ｄ２は、当該グループに含まれる配電系統に固有の番号である。停電時間帯１５Ｄ３は、当該グループに含まれる配電系統に対する送配電が停止する時間帯であり、当該配電系統により給電を受ける顧客宅が停電になる時間帯である。
【００３１】
なお、記憶部１５には、配電系統による給電対象の地域を網羅し、その地域内にある顧客宅の位置を示すアイコンを含む地図情報１５Ｅ（例えば、図７（ａ）の地図情報）が記憶されているものとする。
【００３２】
≪システムの処理≫
図５及び図６は、電力系統管理システム１の処理を示すフローチャートである。本処理は、電力系統管理システム１において、主として処理部１４が、通信部１１によりＰＣや携帯端末との間でデータを送受信し、記憶部１５のデータを参照、更新しながら、顧客へのサービスを行うものである。
【００３３】
図５は、顧客宅を計画停電のグループに分ける処理を示すフローチャートである。顧客宅が属するグループは、顧客宅が給電を受ける引込柱、引込柱がつながるバンク柱、バンク柱が設置される配電系統、配電系統が属するグループによるので、それらの系統構成が変更になったときに、各情報が更新された後、本処理が実施され、グループ分けが更新される。実際に、配電系統の切り替えは、季節や工事の実施によって行われ、顧客に知らされることなく、給電を受ける配電系統が変わることもある。ただし、系統構成の変更は、随時各情報に反映される。
【００３４】
まず、電力系統管理システム１は、計画停電のグループＩＤを取得する（Ｓ５０１）。詳細には、記憶部１５の停電情報１５Ｄに含まれる各グループＩＤ１５Ｄ１を抽出してもよいし、オペレータの操作に応じて入力部１３からグループ分けすべきグループＩＤを取得してもよい。そして、取得したグループＩＤごとに、Ｓ５０２〜Ｓ５０６の処理を行う。
【００３５】
次に、電力系統管理システム１は、停電情報１５Ｄに基づいて、取得したグループＩＤ１５Ｄ１から系統番号１５Ｄ２を特定し（Ｓ５０２）、特定した系統番号ごとに、Ｓ５０３〜Ｓ５０６の処理を行う。
【００３６】
そして、電力系統管理システム１は、系統情報１５Ａに基づいて、特定した系統番号１５Ａ１からバンク柱番号１５Ａ２を特定し（Ｓ５０３）、特定したバンク柱番号ごとに、Ｓ５０４〜Ｓ５０６の処理を行う。
【００３７】
続いて、電力系統管理システム１は、設備情報１５Ｂに基づいて、特定したバンク柱番号１５Ｂ２から引込柱番号１５Ｂ１を特定し（Ｓ５０４）、特定した引込柱番号ごとにＳ５０５〜Ｓ５０６の処理を行う。
【００３８】
さらに、電力系統管理システム１は、顧客情報１５Ｃに基づいて、特定した引込柱番号１５Ｃ２から顧客ＩＤ１５Ｃ１を特定する（Ｓ５０５）。そして、記憶部１５に記憶された地図情報１５Ｅ上の、特定した各顧客ＩＤに対応する顧客宅のアイコンを、当該顧客宅の計画停電のグループに応じて決められた色に着色する（Ｓ５０６）。
【００３９】
図７（ａ）は、電力会社のホームページにおける表示例１を示す。例えば、顧客がＰＣから電力会社のホームページにおいて自宅周辺の地図を参照しようとすると、電力系統管理システム１からＰＣに地図情報１５Ｅが送信され、図７（ａ）に示すような地図の画面が表示される。このとき、グループごとに、顧客宅のアイコンと同じ色で停電時間帯を表示してもよい。また、グループではなく、配電系統ごとに色分けしてもよい。
【００４０】
なお、Ｓ５０５で顧客ＩＤを特定した際に、計画停電の予定を当該顧客に通知するようにしてもよい。例えば、記憶部１５の顧客情報１５Ｃに各顧客の緊急連絡先として携帯端末のメールアドレスを予め追加しておいて、計画停電のグループごとに特定した顧客ＩＤに対応するメールアドレスに、当該グループの計画停電の予定（停電時間帯）を含むメールを送信することが考えられる。また、当該グループの停電時間が近付いているとき（例えば、停電時間帯１５Ｄ３の開始時刻が現在時刻の３０分後になったとき）には、「しばらくすると停電します！」、「今から３０分後に停電が始まります！」等のメールを送信することも考えられる。
【００４１】
図６は、停電情報を表示する処理を示すフローチャートである。まず、電力系統管理システム１は、顧客の契約番号を取得する（Ｓ６０１）。詳細には、自宅の停電情報を知りたい顧客が、ＰＣの画面に表示した電力会社のホームページの欄に自分の契約番号を入力すると、その契約番号がＰＣから電力系統管理システム１に送信される。電力系統管理システム１では、契約番号がＰＣから通信部１１に受信され、通信部１１から処理部１４に受け渡される。なお、顧客情報１５Ｃに各顧客宅の位置情報（住所や緯度、経度等）を予め追加し、引込柱番号１５Ｃ２に対応付けた上で、契約番号の代わりに位置情報を取得するようにしてもよい。
【００４２】
次に、電力系統管理システム１は、顧客情報１５Ｃに基づいて、取得した契約番号１５Ｃ３から引込柱番号１５Ｃ２を特定する（Ｓ６０２）。そして、設備情報１５Ｂに基づいて、特定した引込柱番号１５Ｂ１からバンク柱番号１５Ｂ２を特定する（Ｓ６０３）。続いて、系統情報１５Ａに基づいて、特定したバンク柱番号１５Ａ２から系統番号１５Ａ１を特定する（Ｓ６０４）。
【００４３】
さらに、電力系統管理システム１は、停電情報１５Ｄに基づいて、特定した系統番号１５Ｄ２からグループＩＤ１５Ｄ１及び停電時間帯１５Ｄ３を特定し（Ｓ６０５）、ＰＣに送信する（Ｓ６０６）。ＰＣは、電力系統管理システム１からグループＩＤ及び停電時間帯を表示する（Ｓ６０６）。
【００４４】
図７（ｂ）は、電力会社のホームページにおける表示例２を示す。例えば、顧客がＰＣから電力会社のホームページを参照し、自分の契約番号を入力すると、自宅が属する、計画停電のグループ名称と、その停電時間帯とが表示される。
【００４５】
なお、上記実施の形態では、図１に示す電力系統管理システム１内の各部を機能させるために、処理部１４で実行されるプログラムをコンピュータにより読み取り可能な記録媒体に記録し、その記録したプログラムをコンピュータに読み込ませ、実行させることにより、本発明の実施の形態に係る電力系統管理システム１が実現されるものとする。この場合、プログラムをインターネット等のネットワーク経由でコンピュータに提供してもよいし、プログラムが書き込まれた半導体チップ等をコンピュータに組み込んでもよい。
【００４６】
以上説明した本発明の実施の形態によれば、顧客宅の情報を配電系統の情報に紐付けることにより、顧客個別の対応が可能になり、広範囲の地域に亘る計画停電に関する情報を、各顧客に速やかに分かりやすく周知することができる。
【００４７】
詳細には、まず、図５のＳ５０３〜Ｓ５０５の処理に示すように、系統情報１５Ａ、設備情報１５Ｂ及び顧客情報１５Ｃを事前に記憶し、与えられた系統番号から、バンク柱番号、引込柱番号、顧客ＩＤと紐付けしていき、配電系統から給電を受ける顧客宅を計画停電のグループに分けるので、効率的かつ迅速にデータ連携させることができ、グループに属する顧客宅を速やかに通知することができる。これによれば、計画停電が決まった場合に、顧客は、直ちに事前の停電情報を取得できるので、操業や営業を停止せざるを得ないときに、停電前の準備期間を十分確保することができる。
【００４８】
次に、Ｓ５０５の処理及び図７（ａ）の表示例１に示すように、電力会社のホームページ上の地図に、自宅を示すアイコンが、計画停電のグループ別に色分けして表示されるので、顧客は、自宅と、周辺にある他の住宅との行政区分や、給電を受ける配電系統の関係が分かる。これによれば、計画停電について、分かりやすく、顧客に周知することができる。
【００４９】
そして、図６のＳ６０１〜Ｓ６０６の処理及び図７（ｂ）の表示例２に示すように、顧客が電力会社のホームページ上で契約番号を入力すると、自宅の計画停電のグループ及び停電時間帯が表示されるので、顧客は、いつでも、計画停電に関する情報を取得することができる。これによれば、電力会社において、顧客からの問い合わせが減少し、顧客対応業務が緩和される。
【００５０】
≪その他の実施の形態≫
以上、本発明を実施するための形態について説明したが、上記実施の形態は本発明の理解を容易にするためのものであり、本発明を限定して解釈するためのものではない。本発明はその趣旨を逸脱することなく変更、改良され得るとともに、本発明にはその等価物も含まれる。例えば、以下のような実施の形態が考えられる。
【００５１】
（１）上記実施の形態では、系統情報１５Ａ、設備情報１５Ｂ及び顧客情報１５Ｃが同じサーバに記憶されるように記載したが、それぞれの情報が異なるサーバに記憶されるようにしてもよい。
【００５２】
（２）上記実施の形態では、バンク柱及び引込柱に架設された配電線（架空配電線）により、顧客宅に給電するように記載したが、地中に設置された配電線（地中配電線）により給電することもある。そのとき、変圧器は、バンク柱に設置されるのではなく、電柱のない通りの両側に地上用変圧器として設置される。引込線は、引込柱ではなく、地中の分岐箱（分岐部）から分岐し、顧客宅につながる。また、上記実施の形態では、バンク柱及び引込柱を別物として記載したが、バンク柱が引込柱を兼ねることもある。
【００５３】
（３）上記実施の形態では、図５の顧客グループ分け処理において、Ｓ５０６に示すように、地図情報１５Ｅ上の顧客宅のアイコンを計画停電のグループ別に色分けするように説明したが、色分けに限らず、他の方法で区別できるようにしてもよい。例えば、アイコンの輪郭線の太さ（幅）や種類（線種）を異なるものにして、グループを区別してもよい。また、アイコンの色や形状（形式）は同じであっても、その背景色を異なるものにして、グループを区別してもよい。
【００５４】
（４）上記実施の形態では、図５の顧客グループ分け処理において、Ｓ５０６に示すように、地図情報１５Ｅ上の顧客宅のアイコンを計画停電のグループ別に色分けするように説明したが、現在時刻の停電状況や指定時刻の停電予定に応じて、停電中のグループと、停電していないグループとを区別するように色分けすることが考えられる。例えば、停電中の顧客宅のアイコンは黒色にし、停電していない顧客宅のアイコンは白色にしてもよい。また、時刻に応じた色分けは、電力系統管理システム１の記憶部１５の地図情報１５Ｅに対して行ってもよいし、地図情報をＰＣの画面に表示する際に行ってもよい。これによれば、顧客は、電力使用契約の契約番号を知らなくても、大まかに停電の状況や予定を把握することができる。
【００５５】
（５）上記実施の形態では、図５の顧客グループ分け処理において、Ｓ５０６に示すように、地図情報１５Ｅ上の顧客宅のアイコンを計画停電のグループ別に色分けするように説明したが、そのときに、顧客情報１５Ｃの各顧客のレコードに当該顧客宅のグループＩＤを付与してもよい。これによれば、最新の系統構成が記憶部１５の各情報に反映され、顧客グループ分け処理がタイムリーに行われていれば、停電情報表示処理において、契約番号から顧客情報１５Ｃ及び停電情報１５Ｄだけを参照することにより、グループＩＤ及び停電時間帯を特定することができる。
【００５６】
（６）上記実施の形態では、顧客宅のアイコンを色分けした地図情報をＰＣの画面に表示するように記載したが、顧客宅の計画停電グループが分かれば、必ずしも地図でなくてもよい。例えば、地域内における各顧客宅のグループを、世帯主の氏名をあいうえお順に並べた一覧表に表示してもよい。
【符号の説明】
【００５７】
１      電力系統管理システム
１４    処理部
１５    記憶部
１５Ａ  系統情報
１５Ａ１    系統番号
１５Ａ２    バンク柱番号（変圧器番号）
１５Ｂ  設備情報
１５Ｂ１    引込柱番号（分岐部番号）
１５Ｂ２    バンク柱番号（変圧器番号）
１５Ｃ  顧客情報（需要家情報）
１５Ｃ１    顧客ＩＤ（需要家ＩＤ）
１５Ｃ２    引込柱番号（分岐部番号）
１５Ｄ  停電情報
１５Ｄ１  グループＩＤ
１５Ｄ２  系統番号
１５Ｄ３  停電時間帯
【図１】
0005420612.tif 000002
【図２】
0005420612.tif 000003
【図３】
0005420612.tif 000004
【図４】
0005420612.tif 000005
【図５】
0005420612.tif 000006
【図６】
0005420612.tif 000007
【図７】
0005420612.tif 000008
【図８】
0005420612.tif 000009